(57)【要約】【課題】造営構造物の表面に露設された光ファイバケーブルを上下両側から器体内部に導入できるようにした露設型の光コンセントを提供する。【解決手段】光コンセントは、造営構造物に露設された光ファイバケーブルと室内の通信設備からの光ファイバケーブルの間を光学的に接続するアダプタ１と、ボディ３およびカバー４からなり、内部にアダプタ１を収納して造営構造物の表面に露設され、上側面にノックアウト３７が形成されるとともに、下側面に通信設備からの光ファイバケーブルを挿通させるケーブル挿通口３２ａが形成された器体２と、器体２と造営構造物との間に介装される台座６とを備え、下側から光ファイバケーブルを導入する場合は、台座６の下側面のノックアウト６５を除去して形成した孔から光ファイバケーブルを挿入し、ボディ３の主部３１に設けた通線用孔３８を通して前面側に導入して、アダプタ１に接続する。【選択図】図１
2006251299.tif 000002
【特許請求の範囲】
【請求項１】
造営構造物に露設された光ファイバケーブルと室内側にある通信設備からの他の光ファイバケーブルとの間を光学的に接続するアダプタと、
当該アダプタを内部に収納して造営構造物の表面に露設され、施工状態における上側面に通線用の第１のノックアウトが形成されるとともに、下側面に前記通信設備からの光ファイバケーブルを挿通させるケーブル挿通口が形成された器体と、
前記器体と造営構造物との間に介装される台座とを備え、
前記台座の施工状態における下側面に通線用の第２のノックアウトを形成するとともに、前記台座と対向する前記器体の表面において前記アダプタよりも上側の部位に前記器体の内外を連通する通線用孔を貫設したことを特徴とする光コンセント。
【請求項２】
前記台座の下側面には、左右方向において前記通線用孔と異なる位置に前記第２のノックアウトが形成されており、前記器体には、前記通線用孔の左右両側に配置されて、前記光ファイバケーブルの左右方向における位置ずれを規制する第１のガイド壁を設けたことを特徴とする請求項１記載の光コンセント。
【請求項３】
前記通線用孔の下側縁に、光ファイバケーブルをガイドする面が、光ファイバケーブルの最小許容曲げ半径よりも曲率半径の大きい曲面に形成された第２のガイド壁を設けたことを特徴とする請求項１又は２記載の光コンセント。
【請求項４】
前記第２のノックアウトと前記通線用孔とが左右方向において対角の位置に設けられたことを特徴とする請求項１記載のコンセント。
【請求項５】
前記台座には、前記第２のノックアウトから導入された光ファイバケーブルを挿入して保持する保持溝が形成されたことを特徴とする請求項１乃至４の何れかに記載の光コンセント。
【請求項６】
前記台座および前記器体の何れか一方に係止孔を形成するとともに、他方に前記係止孔に引掛係止する弾性係止爪片を設けたことを特徴とする請求項１乃至５の何れかに記載の光コンセント。
【請求項７】
前記器体における造営構造物への取付面に固定ねじを挿通するための挿通孔を貫設するとともに、前記挿通孔と連通する連通孔を前記台座に形成したことを特徴とする請求項１乃至６の何れかに記載の光コンセント。
【発明の詳細な説明】
【技術分野】
【０００１】
本発明は、先端に光コネクタを有する光ファイバケーブルを接続する光コンセントに関するものである。
【背景技術】
【０００２】
近年、光ファイバケーブルを用いた光通信による情報伝送の普及に伴って、造営構造物を構成する壁の裏側や床の下側などに先行配線された光ファイバケーブルと、室内の通信設備に接続された他の光ファイバケーブルとの間を互いに接続するための埋込配設型の光コンセントが提供されている（例えば、特許文献１参照）。
【０００３】
この特許文献１に示される光コンセントは、壁等の造営構造物に埋込配設されるボディを備え、このボディの内部に光ファイバケーブルの先端に設けたプラグが着脱自在に接続されるアダプタを収納してあり、造営構造物の裏側に先行配線された光ファイバケーブルと、室内の通信設備に接続された光ファイバケーブルとをそれぞれアダプタに接続することによって、光ファイバケーブル同士を光学的に結合するようになっている。
【０００４】
また既存の住宅に光通信を導入するために露設型の光コンセントも従来より提供されている。このタイプの光コンセントは造営構造物の表面（例えば壁面）に露設される器体を有し、この器体の内部にアダプタを収納してある。アダプタは光ファイバ同士を対向させた状態で保持して、両者の間を光学的に接続するものであって、室内の通信設備からの光ファイバケーブルを接続していない場合に、もう一方の光ファイバケーブルから洩れたレーザ光が不要な場所に照射されないよう、室内側の光ファイバケーブルを挿通させるケーブル挿通孔が下向きとなるように器体に取着されている。而して、造営構造物の表面に露設された光ファイバケーブルは器体上面の開口から器体内部に導入されて、アダプタの一方の接続部に接続され、室内の通信設備側からの光ファイバケーブルは器体下面の開口から器体内部に導入されて、アダプタの他方の接続部に接続されるようになっている。
【特許文献１】特開平１−２９７６０４号公報
【発明の開示】
【発明が解決しようとする課題】
【０００５】
上述のように露設型の光コンセントでは、室内の通信設備からの光ファイバケーブルを挿通させるケーブル挿通口が器体の下側面に設けられているので、造営構造物に露設された光ファイバケーブルを器体の上側面からしか器体内部に導入することができず、光ファイバケーブルの配線経路が限定されてしまうという問題があった。
【０００６】
本発明は上記問題点に鑑みて為されたものであり、その目的とするところは、造営構造物の表面に露設された光ファイバケーブルを上下両側から器体内部に導入できるようにした露設型の光コンセントを提供することにある。
【課題を解決するための手段】
【０００７】
上記目的を達成するために、請求項１の発明は、造営構造物に露設された光ファイバケーブルと室内側にある通信設備からの他の光ファイバケーブルとの間を光学的に接続するアダプタと、当該アダプタを内部に収納して造営構造物の表面に露設され、施工状態における上側面に通線用の第１のノックアウトが形成されるとともに、下側面に通信設備からの光ファイバケーブルを挿通させるケーブル挿通口が形成された器体と、器体と造営構造物との間に介装される台座とを備え、台座の施工状態における下側面に通線用の第２のノックアウトを形成するとともに、台座と対向する器体の表面においてアダプタよりも上側の部位に器体の内外を連通する通線用孔を貫設したことを特徴とする。
【０００８】
この発明によれば、造営構造物に露設された光ファイバケーブルを光コンセントの上側から接続する場合は、器体の上側面に設けた第１のノックアウトを除去してできた孔から光ファイバケーブルを器体内部に導入してアダプタに接続することができ、造営構造物に露設された光ファイバケーブルを光コンセントの下側から接続する場合は、台座の下側面に形成された第２のノックアウトを除去して挿通孔を形成し、この挿通孔から台座と器体との間に光ファイバケーブルを通し、この光ファイバケーブルを通線用孔に通して器体内部に導入した後、下側に曲げてアダプタに接続できるから、造営構造物の表面に配線された光ファイバケーブルを器体の上下両側から接続することができる。
【０００９】
請求項２の発明は、請求項１の発明において、台座の下側面には、左右方向において通線用孔と異なる位置に第２のノックアウトが形成されており、器体には、通線用孔の左右両側に配置されて、光ファイバケーブルの左右方向における位置ずれを規制する第１のガイド壁を設けたことを特徴とする。
【００１０】
この発明によれば、左右方向において通線用孔とは異なる位置に設けられた第２のノックアウトを除去して通線用の孔を形成し、この孔から光ファイバケーブルを導入した場合、通線用孔を通して器体の内部に導入された光ファイバケーブルの先端を、通線用の孔が形成された側と反対側に拡げようとする弾発力が発生するが、通線用孔の左右両側に設けた第１のガイド壁が光ファイバケーブルと当接することで、光ファイバケーブルの左右方向における位置ずれが防止されるから、アダプタに対して正規の方向から光ファイバケーブルを接続することができる。
【００１１】
請求項３の発明は、請求項１又は２の発明において、通線用孔の下側縁に、光ファイバケーブルをガイドする面が、光ファイバケーブルの最小許容曲げ半径よりも曲率半径の大きい曲面に形成された第２のガイド壁を設けたことを特徴とする。
【００１２】
この発明によれば、通線用孔を通して器体内部に導入される光ファイバケーブルは第２のガイド壁に沿って曲げられるので、光ファイバケーブルを最小許容曲げ半径よりも大きな曲げ半径で曲げることができ、光ファイバケーブルの通信品質が劣化するのを防止できる。
【００１３】
請求項４の発明は、請求項１の発明において、第２のノックアウトと通線用孔とが左右方向において対角の位置に設けられたことを特徴とする。
【００１４】
この発明によれば、第２のノックアウトを除去して形成された孔から光ファイバケーブルを導入すると、この光ファイバケーブルは対角の位置にある通線用孔を通して器体の内部に導入されるので、造営構造物の表面に対して斜めに交差する平面内で光ファイバケーブルを曲げることができ、造営構造物の表面に対して略垂直な平面内で光ファイバケーブルを曲げる場合に比べて、光ファイバケーブルの曲げ半径が同じであれば光コンセントの厚み寸法を薄くすることができ、光コンセントの小型化を図ることができるという効果がある。
【００１５】
請求項５の発明は、請求項１乃至４の何れかの発明において、台座には、第２のノックアウトから導入された光ファイバケーブルを挿入して保持する保持溝が形成されたことを特徴とする。
【００１６】
この発明によれば、第２のノックアウトから導入された光ファイバケーブルを保持溝内に挿入して保持することによって、光ファイバケーブルの位置がずれて、器体と台座との間に挟まれるのを防止できる。
【００１７】
請求項６の発明は、請求項１乃至５の何れかのの発明において、台座および器体の何れか一方に係止孔を形成するとともに、他方に係止孔に引掛係止する弾性係止爪片を設けたことを特徴とする。
【００１８】
この発明によれば、弾性係止爪片を係止孔に引掛係止することで台座と器体とを結合することができるので、台座と器体との取り付け及び取り外しを容易に行える。
【００１９】
請求項７の発明は、請求項１乃至６の何れかのの発明において、器体における造営構造物への取付面に固定ねじを挿通するための挿通孔を貫設するとともに、挿通孔と連通する連通孔を台座に形成したことを特徴とする。
【００２０】
この発明によれば、台座を使用するか否かに関わらず、器体の挿通孔に通したねじ部材を用いて造営構造物に器体を取り付けることができ、ねじ部材の本数を同じ本数にできるから、施工作業の作業性が向上するという効果がある。
【発明の効果】
【００２１】
本発明によれば、造営構造物に露設された光ファイバケーブルを光コンセントの上側から接続する場合は、器体の上側面に設けた第１のノックアウトを除去してできた孔から光ファイバケーブルを器体内部に導入してアダプタに接続することができ、造営構造物に露設された光ファイバケーブルを光コンセントの下側から接続する場合は、台座の下側面に形成された第２のノックアウトを除去して挿通孔を形成し、この挿通孔から台座と器体との間に光ファイバケーブルを通し、この光ファイバケーブルを通線用孔に通して器体内部に導入した後、下側に曲げてアダプタに接続できるから、造営構造物の表面に配線された光ファイバケーブルを器体の上下両側から接続することができるという効果がある。
【発明を実施するための最良の形態】
【００２２】
以下に本発明の実施の形態を図面に基づいて説明する。
【００２３】
（実施形態１）
本発明の実施形態１を図１〜図４に基づいて説明する。尚、以下の説明では特に断りが無い限り、図３（ａ）に示す向きにおいて上下左右の方向を規定し、同図（ａ）中の正面を前面とする。したがって、同図（ｂ）における左端は後端となる。
【００２４】
本実施形態の光コンセントは、造営構造物を構成する壁の室内側の表面に露設される露設型のコンセントであり、アダプタ１と、アダプタ１を保持するとともに造営構造物に設置される合成樹脂製のボディ３、および、アダプタ１を覆うようにしてボディ３に被着される合成樹脂製のカバー４からなる器体２と、シャッターブロック５と、ボディ３と造営構造物との間に介装される台座６とを主要な構成として備える。
【００２５】
アダプタ１は、室内側の通信設備で一般的に使用されるＦ０４形（所謂ＳＣ形）光ファイバコネクタ（ＪＩＳ  Ｃ  ５９７３参照）のプラグが接続される角筒状のプラグ接続部１１と、このプラグ接続部１１の一端側から延長形成されて、ＳＣ形に比べて小型のＦ１４形（所謂ＭＵ形）光ファイバコネクタ（ＪＩＳ  Ｃ  ５９８３参照）のプラグが接続される角筒状のプラグ接続部１２とを備えたハウジング１０を有し、プラグ接続部１１の一端側の左右両側面からは鍔片１３，１３が側方に突出している。そして、ハウジング１０の内部には、プラグ接続部１１に接続されるＳＣ形プラグのフェルールと、プラグ接続部１２に接続されるＭＵ形プラグのフェルールとを整列させた状態で保持し、両フェルールを光学的に接続する従来周知のスリーブ（図示せず）が納装されている。このスリーブは、両フェルールをＰＣ（Physical Contact）接続することによって光ファイバ同士を密着させ、低損失で光学的に接続するようになっている。
【００２６】
ボディ３は縦長の矩形板状の主部３１を有しており、主部３１の下側辺からは前方に突出する縦壁３２が一体に立設され、下側辺を除く３辺からは縦壁３２よりも突出量の小さい側壁３３が前方に延出している。主部３１の上下方向略中央には一対のねじ挿通孔３４，３４が左右両側に貫設されており、ねじ挿通孔３４にタッピングねじのような固定ねじ（図示せず）を挿通して、造営構造物を構成する壁パネルなどにねじ込むことによって、ボディ３を造営構造物にねじ固定できるようになっている。また主部３１の後面には四角枠状のリブ３１ｄ，３１ｄが上下に形成されており、リブ３１ｄ，３１ｄでそれぞれ囲まれた部位にそれぞれ両面テープを貼着することによって、両面テープでボディ３を造営構造物に貼着することができる。
【００２７】
また、左右の側壁３３の下側部は他の部位よりも幅広に形成され、この幅広部３３ａの内側縁（ボディ３の左右方向中央部に近い側）からは前方に突出するガイド壁３３ｂが一体に延出形成され、各ガイド壁３３ｂの下側部の前縁からは外側に向かって係止片３３ｃが突設されている。
【００２８】
一方、カバー４はボディ３の前面に対向配置される縦長の主部４１を有し、この主部４１の上側および左右両側の３辺からは後方に向かって周部４２が一体に延出しており、後面および下面が開口した略箱形に形成されている。主部４１の略下半分は前方に膨出しており、下側部の背面からは上下方向に沿って延びる複数本の突条４３が後方に向かって突出形成されている。また、左右両側の周部４２の後縁からは、ボディ３の幅広部３３ａと係止片３３ｃとの間の隙間に挿入される係止片４４が内側（左右方向における中心方向）に向かって突出しており、各係止片４４の前面の下端部には係止突起４４ａが突設されている。
【００２９】
而して、ボディ３にカバー４を取り付ける際には、ボディ３の主部３１に、カバー４を上側から下側へスライドさせて被せると、カバー４の係止片４４がボディ３の主部３１と係止片３３ｃとの間に挿入され、カバー４の下側縁が縦壁３２の周部に当接する位置までカバー４をスライド移動させると、係止片４４の係止突起４４ａが係止片３３ｃの後面に設けた突起３３ｄと係止して、カバー４がボディ３に結合される。この時、カバー４の上側の周部４２が主部３１の上端に設けた突起３１ｂと当接することで、カバー４の下側への移動が規制され、またカバー４の係止片４４が、ボディ３のガイド壁３３ｂおよび係止片３３ｃと当接することで、カバー４の前後方向および左右方向への移動が規制される。なおカバー４を取り外す際には、カバー４を上側にスライド移動させると、係止突起４４ａと突起３３ｄとの係止状態が外れるので、カバー４をボディ３から容易に取り外すことができる。
【００３０】
またボディ３の主部３１前面の下側部には、アダプタ１の後面と当接する複数本の突条３１ａが上下方向に沿って形成されている。複数本の突条３１ａを挟んで左右両側部には、鍔片１３の後面にそれぞれ当接するＬ字形の一対のガイド片３６ａと、各ガイド片３６ａの下側辺との間で鍔片１３を挟持する一対の弾性係止片３６ｂとが突設されており、一対の弾性係止片３６ｂの間隔はプラグ接続部１１の幅寸法と略同じ寸法に設定されている。而して、アダプタ１の向きを合わせて、プラグ接続部１１がガイド片３６ｂ，３６ｂの間に挿入されるとともに、鍔片１３がガイド片３６ａと弾性係止片３６ｂとの間に挿入されるようにしてアダプタ１を主部３１に近付けると、プラグ接続部１１の左右両側面に弾性係止片３６ｂが当接し、鍔片１３の前端部に弾性係止片３６ｂの爪３６ｃが引掛係止することによってアダプタ１がボディ３に取着される。
【００３１】
アダプタ１をボディ３に取着すると、アダプタ１のプラグ接続部１１が縦壁３２に対向して配置される。縦壁３２においてプラグ接続部１１が対向する部位には、室内側の通信設備からの光ファイバケーブルに接続されたＳＣ形のプラグが挿入されるケーブル挿通口３２ａが開口し、このケーブル挿通口３２ａにはシャッターブロック５が取着されている。シャッターブロック５は合成樹脂により角筒状に形成されたブロック本体５０を有し、ブロック本体５０の下側の開口は扉５１，５１によって開閉自在に閉塞されている。扉５１，５１は図示しない付勢手段によって開口を閉じる方向に常時付勢されており、プラグ接続部１１に光ファイバケーブルを接続していない状態では扉５１，５１が閉じて、レーザ光の外部への漏出を防止している。一方、光ファイバケーブルをプラグ接続部１１に接続する際には、シャッターブロック５の扉５１，５１を光ファイバケーブルに接続されたプラグで押すと、扉５１，５１が付勢手段の付勢力に抗して開けられるので、ブロック本体５０の筒内を通して光ファイバケーブルに接続されたプラグをプラグ接続部１１に容易に接続することができる。
【００３２】
また主部３１の上側部には、主部３１を前後方向に貫通する角孔状の貫通孔３５が左右方向に３個並べて貫設されている。各々の貫通孔３５に臨む側壁３３の部位には、左右両端部を薄肉に形成することによって、両端の薄肉部３５ａの間にノックアウト３７を形成してあり、薄肉部３５ａをカッターやニッパーなどで切断してノックアウト３７を切り取ることで、光ファイバケーブルの挿通口を容易に形成できるようになっている。すなわち、ボディ３の上側の側壁３３（施工状態における上側面）には、左右方向の両側部および中央部に合計３個のノックアウト３７が形成されている。
【００３３】
また主部３１には、貫通孔３５よりもやや下側の左右方向中間部に、光ファイバケーブルに接続されたＭＵ型のプラグを挿通可能な大きさの角孔状の通線用孔３８が主部３１を前後方向に貫通して形成されている。主部３１の前面には、通線用孔３８の左右両側部からそれぞれ前方に向かって突出するガイド壁（第１のガイド壁）３８ａ，３８ａが突設されており、ガイド壁３８ａ，３８ａの下側端の間を連結してガイド壁（第２のガイド壁）３８ｂが形成されている。なおガイド壁３８ｂは光ファイバケーブルをガイドする面が、光ファイバケーブルの許容最小曲げ半径よりも曲率半径の大きな曲面に形成されている。
【００３４】
また主部３１の左右両側部には、主部３１を前後方向に貫通する各一対の係止孔３１ｃが上下両側に形成されている
一方、台座６は、左右方向および上下方向の寸法がボディ３と略同じ寸法に形成された矩形板状の主部６１を有しており、主部６１の全周から前方に突出する側壁６２が一体に形成されている。主部６１の左右両側部には、主部３１に設けた各一対の係止孔３１ｃに対向する部位に各一対の弾性係止片６３が突設されている。ここで、台座６をボディ３に取り付ける際には、ボディ３の背面側から台座６を近付けると、各弾性係止片６３がボディ３の係止孔３１ｃ内に挿入され、各弾性係止片６３の爪６３ａが係止孔３１ｃの孔縁に係止することで、台座６がボディ３に取着される。この時、ボディ３の背面と台座６の主部６１前面との間には、側壁６２の高さによって決定される隙間が形成されるので、この隙間が光ファイバケーブルの外形よりも大きくなるように側壁６２の高さを設定すれば良い。なお台座６をボディ３から外す際には、各弾性係止片６３を撓ませて、爪６３ａと係止孔３１ｃの孔縁との係止状態を解除した状態で台座６をボディ３から引き離せば良く、ねじ等の部材や工具を用いることなく台座６の取り付け及び取り外しを簡単に行うことができる。
【００３５】
また主部６１の下側部には、主部６１を前後方向に貫通する角孔状の挿通孔６４が左右方向に３個並べて貫設されている。各々の挿通孔６４に臨む側部６２の部位には、左右両端部を薄肉に形成することによって、両端の薄肉部６４ａの間にノックアウト６５を形成してあり、薄肉部６４ａをカッターやニッパーなどで切断してノックアウト６５を切り取ることで、光ファイバケーブルの挿通口を容易に形成できるようになっている。すなわち、台座６の下側の側壁６２（施工状態における下側面）には、左右方向の両側部および中央部に合計３個のノックアウト６５が形成されている。
【００３６】
また主部６１には、ボディ３の主部３１に設けた一対の挿通孔３４とそれぞれ連通する連通孔６６を有するボス部６６ａが形成され、両ボス部６６ａの内側寄りの周面からは下側に行くほど互いの間隔が拡がるように形成されたガイド片６７が延出している。また、主部６１の前面には、上下方向における中間部に上下方向に沿って延びる一対の突条６８が形成されており、突条６８の間には光ファイバケーブルを挿入して保持する保持溝６８ａが形成されている。
【００３７】
また主部６１の後面にも四角枠状のリブ６１ａ，６１ａが上下に形成されており、リブ６１ａ，６１ａでそれぞれ囲まれた部位にそれぞれ両面テープを貼着することによって、両面テープで台座６を造営構造物に貼着することもでき、固定ねじを用いてねじ固定する場合に比べて作業性が向上する。
【００３８】
以上のような構成の光コンセントを造営構造物を構成する壁に施工し、造営構造物に配線された光ファイバケーブルを上側から器体内部に導入する場合の施工手順について以下に説明する。この場合はボディ３と造営構造物の間に台座６を介装する必要はなく、台座６を使用せずにボディ３を造営構造物に直接固定すれば良い。なお台座６を器体２と造営構造物との間に介在させても良いことは言うまでもない。
【００３９】
先ずボディ３の挿通孔３４，３４にタッピングねじのような固定ねじを挿通し、造営構造物（例えば石膏ボードよりなる壁）に螺入することによってボディ３を造営構造物に固定する。次に、屋外から引き込まれた光ファイバケーブルを造営構造物（壁）の表面に露出配線し、この光ファイバケーブルの先端に予め接続されているＭＵ形のプラグをアダプタ１のプラグ接続部１２に接続する。その後、光ファイバケーブルを器体の内部に導入するために、何れかのノックアウト３７の薄肉部３５ａ，３５ａをカッターやニッパーなどで切断し、ノックアウト３７を切り取ってできた挿入口に光ファイバケーブルを通した状態で、アダプタ１の鍔片１３をガイド片３６ａと弾性係止片３６ｂとの間に挿入し、弾性係止片３６ｂの爪３６ｃを鍔片１３の前端部に係止させることで、アダプタ１をボディ３に保持させる。そして、ボディ３の主部３１にカバー４を上側から下側へスライドさせて被せ、カバー４を装着させる。
【００４０】
この組立完了状態において、アダプタ１のプラグ接続部１１は縦壁３２のケーブル挿通口３２ａと対向配置され、室内側の通信設備からの光ファイバケーブルの先端に接続されたＳＣ形のプラグをケーブル挿通口３２ａに挿入すると、プラグによって扉５１，５１が開けられて、プラグ接続部１２にＳＣ形のプラグが接続される。この時、アダプタ１によりＳＣ形のプラグとＭＵ形のプラグとがＰＣ接続され、２つの光ファイバケーブルの間が光学的に結合される。尚、本実施形態ではアダプタ１により異種のプラグ同士を光学的に接続しているが、同種のプラグ同士を光学的に接続するものを用いても良いことは言うまでもない。
【００４１】
次に本実施形態の光コンセントを造営構造物を構成する壁に施工し、造営構造物に配線された光ファイバケーブルを下側から器体２内部に導入する場合の施工手順について以下に説明する。この場合は、光ファイバケーブルを器体２の内部に導入するために、台座６に設けたノックアウト６５の内、何れかのノックアウト６５の薄肉部６４ａ，６４ａをカッターやニッパーなどで切断し、ノックアウト６５を切り取ってできた挿入口に光ファイバケーブルを通し、さらにボディ３の通線用孔３８から前面側に挿通した状態で、ボディ３の背面側から台座６を近付けると、台座６の弾性係止片６３がボディ３の係止孔３１ｃ内に挿入され、弾性係止片６３の爪６３ａが係止孔３１ｃの孔縁に係止することで、台座６がボディ３に取着される。ここで、ボディ３と台座６とを結合する際は、光ファイバケーブルを主部６１に設けた突条６８の間の保持溝６８ａに挿入して保持させることで、光ファイバケーブルの位置がずれて、台座６とボディ３との間に噛み込まれるのを防止でき、光ファイバケーブルが変形して通信品質が劣化するのを防止できる。なお保持溝６８ａの位置や個数は図１の形態に限定されるものではなく、使用するノックアウト６５の位置に合わせて適宜の場所に必要なだけ形成すれば良い。
【００４２】
次に、ボディ３の挿通孔３４と台座６の連通孔６６とにタッピングねじのような固定ねじを挿通し、造営構造物（例えば石膏ボードよりなる壁）に螺入することによってボディ３及び台座６を造営構造物に固定する。ここで、台座６には、ボディ３の挿通孔３４に連通して連通孔６６を形成してあるので、台座６を使用するか否かに関わらず、ボディ３の挿通孔３４に通したねじ部材を用いて造営構造物にボディ３を取り付けることができ、ねじ部材の本数を同じ本数にできるから、施工作業の作業性が向上する。なおボス部６６ａは側壁６２と略同じ高さに形成されているので、ボス部６６ａの前面がボディ３の背面に当接することでボス部６６ａがボディ３の支えとなり、ボディ３と台座６とを造営構造物にねじ固定した際に固定ねじの締めすぎによって、ボディ３が変形したり、ボディ３と台座６との間に光ファイバケーブルが挟まって圧縮されることはない。
【００４３】
ボディ３が造営構造物に固定されると、通線用孔３８から前面側に引き出された光ファイバケーブルの先端に予め接続されているＭＵ形のプラグをアダプタ１のプラグ接続部１２に接続し、このアダプタ１の鍔片１３をガイド片３６ａと弾性係止片３６ｂとの間に挿入し、弾性係止片３６ｂの爪３６ｃを鍔片１３の前端部に係止させることで、アダプタ１をボディ３に保持させる。そして、ボディ３の主部３１にカバー４を上側から下側へスライドさせて被せると、ボディ３にカバー４が装着される。
【００４４】
このように本実施形態では台座６を用い、ノックアウト６５を削除して形成したケーブル挿入口からボディ３と台座６との間の隙間に光ファイバケーブルを導入し、この光ファイバケーブルを通線用孔３８から前面側に引き出した後、ボディ３の前面側に取着されたアダプタ１に接続しており、造営構造物の表面に露設される器体２に対して下側から光ファイバケーブルを導入してアダプタ１に接続することが可能になる。
【００４５】
ここで、左右何れかのノックアウト６５を切除してできたケーブル挿入口から光ファイバケーブルを導入した場合は、通線用孔３８を通して前面側に引き出された光ファイバケーブルの先端を、ケーブル挿入口が形成された側と反対側に広げようとする復元力が発生するが、通線用孔３８の左右両側に立設されたガイド壁３８ａが光ファイバケーブルと当接して、上記の復元力を受けることで、光ファイバケーブルをアダプタ１のプラグ接続部１２に略真っ直ぐに挿入させることができる。
【００４６】
またボディ３の背面側から通線用孔３８を通して前面側に引き出された光ファイバケーブルの曲がり部は、通線用孔３８の下側部に設けたガイド壁３８ｂと当接し、このガイド壁３８ｂは光ファイバケーブルの最小許容曲げ半径よりも曲率半径の大きい曲面形状に形成されているので、光ファイバケーブルの曲げ変形を最小許容曲げ半径よりも大きくでき、光ファイバケーブルの通信品質が劣化するのを防止できる。
【００４７】
（実施形態２）
本発明の実施形態２を図５に基づいて説明する。実施形態１で説明した光コンセントでは、ボディ３の左右方向略中央に通線用孔３８を１個だけ形成しているのに対して、本実施形態ではボディ３の左右両側部にボディ３を前後方向に貫通する２個の通線用孔３９，３９を貫設している。尚、通線用孔３９以外の構成は実施形態１と同様であるので、共通する構成要素には同一の符号を付してその説明は省略する。
【００４８】
上述の実施形態１では、ボディ３と台座６との間の隙間に通した光ファイバケーブルを通線用孔３８を通してボディ３の前面側に導入しており、光ファイバケーブルをボディ３の前面に対して略垂直な平面内で曲げているため、光ファイバケーブルの最小許容曲げ半径をＲとした場合、台座６と器体２とを含めた厚み寸法を２Ｒ以上に設定しなければならず、光コンセントの厚み寸法を薄型化する際の妨げになっていた。
【００４９】
それに対して、本実施形態ではボディ３の主部３１において、貫通孔３５よりもやや下側の左右方向両側部に、光ファイバケーブルに接続されたプラグを挿通可能な大きさの通線用孔３９，３９を２個形成しており、器体２の下面側から光ファイバケーブルを導入するに当たっては、台座６の下側面に設けた３箇所のノックアウト６５の内、左右何れかの側（図５の例では右側）のノックアウト６５を除去して形成したケーブル挿入口から光ファイバケーブル１００を導入し、このケーブル挿入口と対角の位置にある通線用孔３９（図５の例では左側の通線用孔３９）を通して光ファイバケーブル１００を前面側に導出した後、アダプタ１のプラグ接続部１２に接続する。この場合、光ファイバケーブル１００は、ボディ３の前面に対して斜めに交差する平面内で曲げられることになるから、光ファイバケーブル１００の最小許容曲げ半径が決められている場合はボディ３の前面に対して略垂直な平面内で光ファイバケーブルを曲げる場合に比べて台座６と器体２とを含めた厚み寸法を薄くすることができ、光コンセントの小型化を図ることができる。なお本実施形態では通線用孔３９を２個設けているが、通線用孔３９とノックアウト６５とが左右方向において対角の位置に配置されるのであれば、通線用孔３９を左右何れかの側に１つだけ形成しても良い。
【００５０】
また、本発明の精神と範囲に反することなしに、広範に異なる実施形態を構成することができることは明白なので、この発明は、特定の実施形態に制約されるものではない。
【図面の簡単な説明】
【００５１】
【図１】実施形態１の光コンセントを上側から見た分解斜視図である。
【図２】同上の光コンセントを下側から見た分解斜視図である。
【図３】同上の光コンセントを示し、（ａ）は正面図、（ｂ）は左側面図、（ｃ）は下面図である。
【図４】同上の光コンセントを示し、（ａ）は背面図、（ｂ）は図３（ａ）中のＡ−Ａ断面図である。
【図５】実施形態２の光コンセントを上側から見た分解斜視図である。
【符号の説明】
【００５２】
１  アダプタ
２  器体
３  ボディ
４  カバー
６  台座
３１  主部
３２ａ  ケーブル挿通口
３７，６５  ノックアウト
３８  通線用孔
【図１】
2006251299.tif 000003
【図２】
2006251299.tif 000004
【図３】
2006251299.tif 000005
【図４】
2006251299.tif 000006
【図５】
2006251299.tif 000007